(57)【要約】      （修正有）【課題】販売用としてパッケージングされた商品が、その輸送中或は販売のための展示中にパッケージから飛び出すことを防止し商品の汚損・損傷をなくすことを目的とすると共に、Ｔシャツのごとき肌着や、それと形の全く異なるトランクスのごとき肌着に対しても利用することが出来、各種タイプの包装商品に応じたそれぞれ形状の異なるパッケージを作ることなく万遍なく利用出来るパッケージを提供する。【解決手段】適宜厚さの厚紙又は合成樹脂シートからなる短冊状のシートを山折りに２つ折りし折り曲げ部にフック１５を設けてなり、２つ折りシートの一方を、上部襠片１１で接続された芯板１２とし、２つ折りシートの他方を、基板とし、基板の端部には、山折れ線を介して襠片を、更に襠片には山折れ線を介して帯状体を連接し、帯状体の両側端縁には縦襠片を介して、前記基板に設けたスリットに係止する舌片を設けてなる。【選択図】図１
0003163924.tif 000002
【実用新案登録請求の範囲】
【請求項１】
適宜厚さの厚紙又は合成樹脂シートからなる短冊状のシートを山折りに２つ折りし折り曲げ部にフックを穿設してなり、２つ折りシートの一方を、上部襠片で接続された芯板とし、２つ折りシートの他方を、基板とし、基板の端部には、山折れ線を介して襠片を、更に襠片には山折れ線を介して帯状体をそれぞれ連接し、帯状体の両側端縁には縦襠片を介して、前記基板に設けたスリットに係止する係止片を設けてなる肌着陳列用パッケージ。
【請求項２】
芯板には、芯板と対向して設けられている基板に向け上向きに折り曲げ可能とし、折り曲げ時該位置に商品通し溝を形成する製品支持舌片を設けてなる請求項１記載の肌着陳列用パッケージ。
【考案の詳細な説明】
【技術分野】
【０００１】
本考案は、シャツ，トランクス等の肌着を店頭において展示販売する際、或はそれを搬送する際に、肌着が型崩れを生ずるようなことなく良好に形を保った状態で、かつ、支持体から脱落等することなく良好に保持できるようにした肌着陳列用パッケージに関する。
【背景技術】
【０００２】
シャツ，トランクス等の肌着を店頭に陳列するさいに、それを袋詰めにして積み上げる手段があるが、それでは商品としての価値観を高めることが難しく、そのために、商品の特徴を一見して覚知することの出来るような形状に製品を折り畳んでケースに入れ、ケースの一部に設けたフック体によりケースを並列状態に吊り下げバーに吊り下げる陳列パッケージが知られている。更には、ケースは切欠部或は窓部等を設け、ケース内部を観察出来るようにしたものも知られている（特許文献１）。
【０００３】
然し。丁寧に折り畳んだ商品であってもケースの搬送中、或はケースに入れただけの状態で吊り下げた場合、商品選択中にややもするとケースから商品が外部にずれ落ち、或はケース内で商品の姿が崩れるということもあった。
また、収容する商品の種類によっては、その形状に応じパッケージの形状を変更しなければならない事態も生じ、パッケージの種類を増加し、コスト或は経費を増加すると云う欠点が生じた。。
【先行技術文献】
【特許文献】
【０００４】
【特許文献１】実用新案登録第３１１７１６４号公報
【考案の概要】
【考案が解決しようとする課題】
【０００５】
本考案は、販売用としてパッケージングされた商品が、その輸送中或は販売のための展示中にパッケージから飛び出すことを防止し商品の汚損・損傷をなくすことを目的とすると共に、Ｔシャツのごとき肌着や、それと形の全く異なるトランクスのごとき肌着に対しても利用することが出来、各種タイプの包装商品に応じたそれぞれ形状の異なるパッケージを作ることなく万遍なく利用出来るパッケージを得ることを目的としている。
【課題を解決するための手段】
【０００６】
本考案パッケージは、適宜厚さの厚紙又は合成樹脂シートからなる短冊状のシートを山折りに２つ折りし折り曲げ部にフックを設けてなり、２つ折りシートの一方を、上部襠片で接続された芯板とし、２つ折りシートの他方を、基板とし、基板の端部には、山折れ線を介して襠片を、更に襠片には山折れ線を介して帯状体を連設し、帯状体の両側端縁には縦襠片を介して、前記基板に設けたスリットに係止する舌片を設けてなる。
また、芯板には芯板と対向して設けられている基板に向け上向きに折り曲げ可能とし、折り曲げ時、該位置に商品通し溝を形成する製品支持舌片を設けてなる。
【考案の効果】
【０００７】
本考案肌着陳列用パッケージは、パッケージする製品により芯板をくるみ込み、それを背面から基板で挟むと共に、基板に設けられている帯状片で、保持した製品を下部から支え固定しているため製品の種類形状が異なっても、一様にパッケージングすることが可能であり、かつ、芯板の存在により製品の確保が充分に行え製品の脱落の発生を防止する。
また、芯板には、製品支持舌片が設けられているので芯板をくるんだ製品、例えばトランクスの一部分ウエストバンド部の如き部分に該舌片を係止させればより一層確実に製品の保持が行える。
【図面の簡単な説明】
【０００８】
【図１】本考案パッケージの正面図。
【図２】本考案パッケージの背面図。
【図３】本考案パッケージの右側面図。
【図４】本考案パッケージの展開図。
【図５】シャツを置いた状態のパッケージ展開図。
【図６】シャツをセットしたパッケージを示し、Ａは正面図、Ｂは中央縦断面図。
【図７】トランクスを置いた状態のパッケージ展開図。
【図８】トランクスをセットしたパッケージを示し、Ａは正面図、Ｂは中央縦断面図。
【考案を実施するための形態】
【０００９】
本考案パッケージ１の実施の形態の一例を図面を参照しながら詳細に説明する。パッケージ１は厚紙又はそれに代わり得るプラスチック材などよりなる短冊状をなした台紙２（図４，５，７に図示）を折り畳んでなるものである。
【００１０】
台紙２は、中央の基板３の長手方向の一方側に横襠片４，帯状片５を連設し、帯状片５の左右側部には、先端に舌片６を有する縦襠片７を連設している。舌片６は、その両側縁に係止切込８を有し基板３に設けたスリット９に後述する如く挿入出来るようにしている。基板３の他方側に係止部片１０，上部襠片１１，芯板１２を連設する。上部襠片１１は、台紙２の幅全体に広がることはなく中央部分にのみ設けられ、上部襠片１１に連なる芯板１２の肩部分１３とは連続せず、後述する如く芯板１２に製品を保持させるとき芯板１２の両肩部分に製品を係止することも可能にしている。芯板１２には、製品支持舌片１４が設けられている。製品支持舌片１４は台形をなし、頂辺は鋸止状の滑り止めとしている。該部に製品を係止し製品のずれ防止の効果を期待している。基板３と係止部片１０との間にわたってＣ字形に打ち抜きを形成し、係止部材１０と基板３とを山折りに折り曲げ重ね合わせフック１５を打ち抜き構成している。
図４，５，７において１点差線で示す部分が山折れ線で、２点差線で示す部分が谷折れ線である。
【００１１】
本考案パッケージ１は、次のようにして梱包される。
シャツＳの例を図５に示す。先ず、梱包すべきシャツＳを芯板１２に載置するが、それ以前に台紙２を基板３と係止部片１０との間の山折れ線Ｙ１で２つ折りし、係止部片１０を基板３に接着していおく。芯板１２に載置されたシャツＳは、シャツＳの衿部によって芯板１２を覆う程度とし芯板１２外にはみ出したシャツの腕部，両脇部，裾部は図５に矢印で示す如く芯板１２をくるむように折り返し、折り返したシャツの部分を山折れ線Ｙ１で２つ折りにした基板３で挟むようにする。この際、上部襠片１１は、係止部材１０に対しては谷折れ線Ｔ１に、芯板１２に対して山折れ線Ｙ２で折り曲げられ、基板３と芯板１２の間に折り返した布地を保持する空間を確保している。
【００１２】
シャツＳの折り返し部分を芯板１２と共に挟持した基板３は底部襠片４を山折れ線Ｙ３，Ｙ４で折り曲げ、芯板１２の下部をくるむ状態とし底部襠片４に続く帯状体５の両側の縦襠片７，７０その山折れ線Ｙ５，Ｙ６で折り返し、縦襠片７に続く舌片６を基板３のスリット９に挿入し、係止切込８を基板３のスリット９に係止し、先にセットしたシャツＳの前面下部を帯状片５で覆う図６に示す態様とする。
上記の如く、シャツＳをセットしたパッケージは例えば陳列台のバー（図示せず）にフック１５を掛けることにより製品を整列して展示することになる。
【００１３】
次にトランクスＴの如きシャツＳとは若干形状の異なる製品の展示について説明する。
トランクスＴをセットする例を図７に示す。トランクスＴの場合もシャツＳの場合と同様に係止部片１０と基板３との間の山折れ線Ｙ１を折り曲げ、基板３と係止部材１０とは接着してある．そして、図８Ｂに示す如く芯板１２の製品支持舌片１４をその山折れ線Ｙ７で折り曲げ芯板１２に作られた開口１６（図８に示す）内にトランクスＴのウエスト部１７を挿し込み、ウエスト部１７に縫着等してなる伸縮帯の下縁１８に製品支持舌片１４の鋸歯状の端部を係止し、トランクスＴの開口１６からの脱出を防いでいる。
【００１４】
そして、トランクスＴは図７に示す如く芯板１２より幅は広く、裾は長いからトランクスＴの芯板１２からはみ出した部分は前記シャツＳの場合と同様に芯板１２をくるむような状態で折り返し、折り返した部分を基板３と挟持し、かつ、帯状片５を、山折れ線Ｙ３，Ｙ４，Ｙ５，Ｙ６を山折りすることでトランクスＴの前面をカバーして覆う図８に示す状態とする。
【００１５】
本考案のパッケージにあっては、上記詳述した如く、被展示製品を芯板１２にくるみ付け、かつ、製品を基板３と芯板１２とによって挟持するような状態で保持すると共に、製品の下部を帯状片で箱状に囲っているために、製品の保護は完全であり、展示中に製品がパッケージから脱落するような事故は生じない。
【符号の説明】
【００１６】
１  パッケージ
２  台紙
３  基板
４  底部襠片
５  帯状片
６  舌片
７  縦襠片
８  係止切込
９  スリット
１０  係止部片
１１  上部襠片
１２  芯板
１３  肩部分
１４  製品支持舌片
１５  フック
１６  開口
１７  ウエスト部
１８  伸縮体の下縁
【図１】
0003163924.tif 000003
【図２】
0003163924.tif 000004
【図３】
0003163924.tif 000005
【図４】
0003163924.tif 000006
【図５】
0003163924.tif 000007
【図６】
0003163924.tif 000008
【図７】
0003163924.tif 000009
【図８】
0003163924.tif 000010